(57)【要約】マルチシャーシブロードキャストルータ（１００）の各シャーシ（１０２ｃ、１０４ｃ）によって、１次ルータマトリクスカード（１０２ａ、１０４ａ）、冗長ルータマトリクスカード（１０２ｂ、１０４ｂ）、及びクロック要求入力及び出力カード（１３６−１乃至１３６−Ｎ及び１３８−１乃至１３８−Ｍ、１４２−１乃至１４２−Ｎ及び１４４−１乃至１４４−Ｍ）が支持可能に取付けられる。第１のマスタクロック（１３４）は、第１のシャーシの１次ルータマトリクスカード上に備わり、一方、第２のマスタクロック（１５４）は、第２のシャーシの冗長ルータマトリクスカード上に備わる。各マスタクロックは、第１及び第２のシャーシの全ての入力及び出力カードに各共通クロック信号を供給する用構成される。制御ロジック（１４８、１５６）が、第１のマスタクロック又は第２のマスタクロックのどちらが共通クロック信号を与えるのかを判断する。
2005531211.tif 000002
【特許請求の範囲】
【請求項１】
第１のルーティングエンジンと、少なくとも１つのクロック要求コンポーネントが内部に備わる第１のシャーシと、
第２のルーティングエンジンと、少なくとも１つのクロック要求コンポーネントが内部に備わる第２のシャーシと、
前記第１のシャーシ内に備わる前記第１のルーティングエンジンの入力側と、前記第２のシャーシ内に備わる前記第２のルーティングエンジンの入力側を結合する第１のリンクと、
前記第１のシャーシ内に備わるマスタクロックと、
を含むマルチシャーシブロードキャストルータであって、
前記マスタクロックは、前記第１のシャーシ内に備わる前記少なくとも１つのクロック要求コンポーネントと、前記第１のリンクを介して前記第２のシャーシ内に備わる前記少なくとも１つのクロック要求コンポーネントに結合し、
前記マスタクロックは、前記第１のシャーシ内に備わる前記少なくとも１つのクロック要求コンポーネントと、前記第２のシャーシ内に備わる前記少なくとも１つのクロック要求コンポーネントに、共通クロック信号を供給するマルチシャーシブロードキャストルータ。
【請求項２】
前記第１のシャーシによって支持可能に取付けられる第１のルータマトリクスカードを更に含み、
前記第１のルーティングエンジン及び前記マスタクロックは、前記第１のルータマトリクスカード上に備わり、
前記少なくとも１つのクロック要求コンポーネントは更に、少なくとも１つの入力カードと少なくとも１つの出力カードを含む請求項１記載の装置。
【請求項３】
第３のルーティングエンジンと、少なくとも１つのクロック要求コンポーネントが内部に備わる第３のシャーシと、
前記第１のシャーシ内に備わる前記第１のルーティングエンジンの前記入力側と、前記第３のシャーシ内に備わる前記第３のルーティングエンジンの入力側を結合する第２のリンクと、
を更に含み、
前記第１のシャーシ内に備わる前記マスタクロックは、前記第２のリンクを介して前記第３のシャーシ内に備わる前記少なくとも１つのクロック要求コンポーネントに結合し、
前記第１のシャーシ内に備わる前記マスタクロックは、前記第３のシャーシ内に備わる前記少なくとも１つのクロック要求コンポーネントに、前記共通クロック信号を供給する請求項１記載の装置。
【請求項４】
前記第２のシャーシ内に備わる前記第２のルーティングエンジンの前記入力側と前記第３のシャーシ内に備わる前記第３のルーティングエンジンの前記入力側を結合する第３のリンクを更に含み、
前記第１のシャーシ内に備わる前記第１のルーティングエンジン、前記第２のシャーシ内に備わる前記第２のルーティングエンジン、及び、前記第３のシャーシ内に備わる前記第３のルーティングエンジンは、完全に接続されたトポロジーに配置される請求項３記載の装置。
【請求項５】
前記第１のシャーシ、前記第２のシャーシ、及び前記第３のシャーシのそれぞれに冗長ルーティングエンジンが備わる請求項４記載の装置。
【請求項６】
前記第１のシャーシ内に備わる前記冗長ルーティングエンジンの入力側を前記第２のシャーシ内に備わる前記冗長ルーティングエンジンの入力側に結合する第４のリンクと、
前記第１のシャーシ内に備わる前記冗長ルーティングエンジンの前記入力側を前記第３のシャーシ内に備わる前記冗長ルーティングエンジンの入力側に結合する第５のリンクと、
前記第２のシャーシ内に備わる前記冗長ルーティングエンジンの前記入力側を前記第３のシャーシ内に備わる前記冗長ルーティングエンジンの前記入力側に結合する第６のリンクと、
を更に含み、
前記第１のシャーシ内に備わる前記冗長ルーティングエンジン、前記第２のシャーシ内に備わる前記冗長ルーティングエンジン、及び前記第３のシャーシ内に備わる前記冗長ルーティングエンジンは、第２の完全に接続されたトポロジーに配置される請求項５記載の装置。
【請求項７】
第１のルータマトリクスカード、冗長ルータマトリクスカード、少なくとも１つのクロック要求入力カード、及び少なくとも１つのクロック要求出力カードを支持可能に取付ける第１のシャーシと、
第１のルータマトリクスカード、冗長ルータマトリクスカード、少なくとも１つのクロック要求入力カード、及び少なくとも１つのクロック要求出力カードを支持可能に取付ける第２のシャーシと、
前記第１のシャーシ内に支持可能に取付けられる前記第１のルータマトリクスカード上に備わる第１のマスタクロックと、
前記第２のシャーシ内に支持可能に取付けられる前記冗長ルータマトリクスカード上に備わる第２のマスタクロックと、
前記第１のマスタクロック及び前記第２のマスタクロックに結合される制御ロジックと、
を含むマルチシャーシブロードキャストルータであって、
前記第１のマスタクロックは、前記第１のシャーシによって支持可能に取付けられる前記少なくとも１つのクロック要求入力カード及び前記少なくとも１つのクロック要求出力カードと、前記第２のシャーシによって支持可能に取付けられる前記少なくとも１つのクロック要求入力カード及び前記少なくとも１つのクロック要求出力カードに結合され、
前記第１のマスタクロックは、前記第１のシャーシによって支持可能に取付けられる前記少なくとも１つのクロック要求入力カード及び前記少なくとも１つのクロック要求出力カードと、前記第２のシャーシによって支持可能に取付けられる前記少なくとも１つのクロック要求入力カード及び前記少なくとも１つのクロック要求出力カードに、共通クロック信号を供給し、
前記第２のマスタクロックは、前記第１のシャーシによって支持可能に取付けられる前記少なくとも１つのクロック要求入力カード及び前記少なくとも１つのクロック要求出力カードと、前記第２のシャーシによって支持可能に取付けられる前記少なくとも１つのクロック要求入力カード及び前記少なくとも１つのクロック要求出力カードに結合され、
前記第２のマスタクロックは、前記第１のシャーシによって支持可能に取付けられる前記少なくとも１つのクロック要求入力カード及び前記少なくとも１つのクロック要求出力カードと、前記第２のシャーシによって支持可能に取付けられる前記少なくとも１つのクロック要求入力カード及び前記少なくとも１つのクロック要求出力カードに、冗長共通クロック信号を供給し、
前記制御ロジックは、前記第１のマスタクロックが前記共通クロック信号を与えるべきか、又は、前記第２のマスタクロックが前記冗長共通クロック信号を与えるべきか判断するルータ。
【請求項８】
前記制御ロジックは、
前記第１のシャーシによって支持可能に取付けられる前記第１のルータマトリクスカードに結合される第１の入力と、
前記第２のシャーシによって支持可能に取付けられる前記冗長ルータマトリクスカードに結合される第２の入力とを有し、
前記制御ロジックは、前記第１の入力を介して受信する第１の信号と前記第２の入力を介して受信する第２の信号に基づいて、前記第１のマスタクロックが前記共通クロック信号を与えるべきか、又は、前記第２のマスタクロックが前記冗長共通クロック信号を与えるべきか判断する請求項７記載の装置。
【請求項９】
第１のルーティングエンジンと第１の伝送拡張ポートが、前記第１のシャーシによって支持可能に取付けられる前記第１のルータマトリクスカード上に備わり、
第２のルーティングエンジンと第２の伝送拡張ポートが、前記第２のシャーシによって支持可能に取付けられる前記冗長ルータマトリクスカード上に備わる請求項８記載の装置。
【請求項１０】
前記制御ロジックへの前記第１の入力は、前記第１のシャーシによって支持可能に取付けられる前記ルータマトリクスカード上に備わる前記第１のルーティングエンジンに結合し、
前記制御ロジックへの前記第２の入力は、前記第２のシャーシによって支持可能に取付けられる前記冗長ルータマトリクスカード上に備わる前記第２のルーティングエンジンに結合し、
前記制御ロジックは、前記第１のシャーシによって支持可能に取付けられる前記ルータマトリクスカード上に備わる前記伝送拡張ポートに結合する第３の入力と、前記第２のシャーシによって支持可能に取付けられる前記冗長ルータマトリクスカード上に備わる前記第２の伝送拡張ポートに結合される第４の入力とを有し、
前記制御ロジックは、前記第１の入力を介して受信する前記第１の信号、前記第２の入力を介して受信する前記第２の信号、前記第３の入力を介して受信する第３の信号、及び、前記第４の入力を介して受信する第４の信号に基づいて、前記第１のマスタクロックが前記共通クロック信号を与えるべきか、又は、前記第２のマスタクロックが前記冗長共通クロック信号を与えるべきか判断する請求項９記載の装置。
【請求項１１】
前記制御ロジックは更に、
前記第１のシャーシによって支持可能に取付けられる前記第１のルータマトリクスカード上に備わる第１のステートマシーンと、
前記第２のシャーシによって支持可能に取付けられる前記冗長ルータマトリクスカード上に備わる第２のステートマシーンと、
を含み、
前記第１のステートマシーンは、前記第１の入力を介して受信する前記第１の信号、前記第２の入力を介して受信する前記第２の信号、前記第３の入力を介して受信する前記第３の信号、及び、前記第４の入力を介して受信する前記第４の信号に基づいて、前記第１のマスタクロックが、前記共通クロック信号を与えるべきか否かを判断し、
前記第２のステートマシーンは、前記第１の入力を介して受信する前記第１の信号、前記第２の入力を介して受信する前記第２の信号、前記第３の入力を介して受信する前記第３の信号、及び、前記第４の入力を介して受信する前記第４の信号に基づいて、前記第２のマスタクロックが、前記冗長共通クロック信号を与えるべきか否かを判断し、
前記共通クロック信号と前記冗長共通クロック信号のうち１つの信号しか一度に与えることができない請求項１０記載の装置。
【発明の詳細な説明】
【発明の詳細な説明】
【０００１】
［発明の属する技術分野］
本発明は、ブロードキャストルータ、より具体的には、共通のクロックを有するマルチシャーシブロードキャストルータに係る。
【０００２】
［発明の背景］
ブロードキャストルータは、そのルータからの複数の出力のそれぞれに、そのルータへの複数の入力のうちの１つからの信号が割当てられることを可能にする。例えば、Ｎ×Ｍブロードキャストルータは、ルータマトリクスによって互いに結合されるＮ個の入力と、Ｍ個の出力を有する。このルータマトリクスは、Ｎ個の入力のうちのどれか１つがＭ個の出力のそれぞれに適用されることを可能にする。多くのそのようなブロードキャストルータは、一般的に「カード」と称され、様々な構成で相互接続される複数の印刷回路基板を収容する単一のシャーシからなる。時として、大きいブロードキャストルータが、複数の小さいブロードキャストルータを相互接続することによって構成される。例えば、本願に参考として組み込んでいる米国特許出願番号１０／            （代理人整理番号ＩＵ０２０１６０）では、５つの２５６×２５６ブロードキャストルータを相互接続して形成される完全に冗長的であり、線形に拡張可能な１，２８０×１，２８０ブロードキャストルータが開示される。しかし、この出願に開示されるマルチシャーシブロードキャストルータが機能するためには、各シャーシ内に同じクロックがなければならない。
【０００３】
［発明の概要］
１つの実施例では、本発明は、複数のシャーシを含むマルチシャーシブロードキャストルータに係る。各シャーシ内には、ルーティングエンジンと少なくとも１つのクロック要求コンポーネントが備わる。複数のシャーシのうちの第１のシャーシ内には、ブロードキャストルータの各シャーシ内に備わるクロック要求コンポーネントに結合されるマスタクロックも更に備わる。ブロードキャストルータの各ルーティングエンジンの入力側は、複数のリンクによって完全に接続されたトポロジーに互いに結合されることが好適である。この複数のリンクも、マスタクロックからの共通クロック信号を、全てのクロック要求コンポーネントに分配するよう用いられる。
【０００４】
別の実施例では、本発明は、第１のシャーシ及び第２のシャーシを含むマルチシャーシブロードキャストルータに係る。各シャーシは、１次ルータマトリクスカード、冗長ルータマトリクスカード、少なくとも１つのクロック要求入力カード、及び少なくとも１つのクロック要求出力カードを支持可能に取付ける。第１のマスタクロックが、第１のシャーシによって支持可能に取付けられる１次ルータマトリクスカード上に備わり、一方、第２のマスタクロックが、第２のシャーシによって支持可能に取付けられる冗長ルータマトリクスカード上に備わる。各マスタクロックは、第１のシャーシによって支持可能に取付けられるクロック要求入力及び出力カードと、第２のシャーシによって支持可能に取付けられるクロック要求入力及び出力カードにそれぞれ結合される。第１のマスタクロックは、第１のマスタクロックに結合されるクロック要求カードに共通クロック信号を供給し、一方、共通クロック信号がない場合には、第２のマスタクロックが、第２のマスタクロックに結合されるクロック要求カードに冗長共通クロック信号を供給する。第１のマスタクロック及び第２のマスタクロックの両方に結合される制御ロジックが、第１のマスタクロックが共通クロック信号を与えるべきか、又は、共通クロック信号がない場合に、第２のマスタクロックが冗長共通クロック信号を与えるべきか判断する。
【０００５】
［詳細な説明］
図１を最初に参照するに、本発明の教示内容の１つの面に従い、且つ、各シャーシは共通のクロックを共有するよう構成されるマルチシャーシブロードキャストルータ１００を以下に詳細に説明する。本願に開示するように、ブロードキャストルータ１００は、完全に冗長的であり、線形に拡張可能なブロードキャストルータである。しかし、本願に開示する特定のタイプのマルチシャーシブロードキャストルータ以外の他の種類のマルチシャーシブロードキャストルータも共通のクロックを共有するよう構成され得ることが十分に考えられることは明確に理解すべきである。更に、本発明の教示内容は、共通のシャーシ内に収容される複数のブロードキャストルータコンポーネントを含むよう構成されるブロードキャストルータにも同等に適用可能であることも理解すべきである。
【０００６】
図から分かるように、マルチシャーシで、完全に冗長的であり、線形に拡張可能であるブロードキャストルータ１００は、それぞれ、各シャーシ内に収容され、大きくて完全に冗長的であり線形に拡張可能なブロードキャストルータ１００を形成するよう互いに結合される複数のブロードキャストルータコンポーネントから構成される。各ブロードキャストルータコンポーネントは、第１の（即ち、「１次」）ルータマトリクスカードと第２の（即ち、「冗長の」）ルータマトリクスカードを有する別個のルータデバイスである。従って、各ブロードキャストルータコンポーネントは、第１のルーティングエンジン及び第２のルーティングエンジンを有し、１次ルータマトリクスカード及び冗長ルータマトリクスカードのそれぞれに１つ備わっている。以下により完全に説明するように、ブロードキャストルータコンポーネントの第１及び第２のルーティングエンジンのそれぞれは、その入力側において、同じＮ個の入力デジタルオーディオデータストリームを受信し、その出力側において、同じＭ個の出力デジタルオーディオデータストリームを出力する。本願に開示するように、マルチシャーシで完全に冗長的であり線形に拡張可能なブロードキャストルータを構成するために用いられる各ブロードキャストルータコンポーネントは、Ｎ×Ｍサイズのブロードキャストルータである。しかし、マルチシャーシで完全に冗長的であり線形に拡張可能なブロードキャストルータ１００は、互いに異なるサイズのブロードキャストルータコンポーネントから構成され得ることも十分に考えられる。
【０００７】
本願に更に開示するように、マルチシャーシで完全に冗長的であり線形に拡張可能なブロードキャストルータ１００は、それぞれ別個のシャーシ内に収容される第１の、第２の、第３の、及び第４のブロードキャストルータコンポーネント１０２、１０４、１０６、及び１０８を互いに結合することによって形成される。当然ながら、４つのブロードキャストルータコンポーネント１０２、１０４、１０６、及び１０８から形成されるマルチシャーシで完全に冗長的であり線形に拡張可能なブロードキャストルータ１００という本願の開示は、単に例示的である。従って、本発明の教示内容に従って構成されるマルチシャーシで完全に冗長的であり線形に拡張可能なブロードキャストルータは、様々な他の数のブロードキャストルータコンポーネントを用いて形成されてもよい。図１に示すように、第１、第２、第３、及び第４のブロードキャストルータコンポーネント１０２、１０４、１０６、及び１０８は、本願に開示するような方法で完全に接続されると、集合的に、マルチシャーシで完全に冗長的であり線形に拡張可能なブロードキャストルータ１００を形成し、それぞれのシャーシ内に収容される。当然ながら、代案では、第１、第２、第３、及び第４のブロードキャストルータコンポーネント１０２、１０４、１０６、及び１０８は、一緒に共通のシャーシ内に収容されてもよい。更に、上述したように、第１、第２、第３、及び第４のブロードキャストルータコンポーネント１０２、１０４、１０６、及び１０８は、互いに異なるサイズを有するか、又は、代案では、全て同じＮ×Ｍサイズを有してもよいが、本願にて考えられる使用に好適であると証明されている１つのサイズは、２５６×２５６である。最後に、マルチシャーシで完全に冗長的であり線形に拡張可能なブロードキャストルータ１００のための好適な構成は、それぞれ２５６×２５６のサイズを有し、別個のシャーシ内に収容される５つのブロードキャストルータコンポーネントを結合し、それにより、１，２８０×１，２８０ブロードキャストルータを得ることである。
【０００８】
マルチシャーシで完全に冗長的であり線形に拡張可能なブロードキャストルータ１００の第１のブロードキャストルータコンポーネント１０２は、シャーシ１０２ｃを含み、その中に、１次ルータマトリクスカード１０２ａと、１次ルータマトリクスカード１０２ａが故障した場合には、１次ルータマトリクスカード１０２ａと差し替えるために用いる冗長なルータマトリクスカード１０２ｂが支持可能に取付けられる。同様に、マルチシャーシで完全に冗長的であり線形に拡張可能なブロードキャストルータ１００の第２のブロードキャストルータコンポーネント１０４もシャーシ１０４ｃを含み、その中に、１次ルータマトリクスカード１０４ａと、１次ルータマトリクスカード１０４ａが故障した場合には、１次ルータマトリクスカード１０４ａと差し替えるために用いる冗長なルータマトリクスカード１０４ｂが支持可能に取付けられる。同様に、マルチシャーシで完全に冗長的であり線形に拡張可能なブロードキャストルータ１００の第３のブロードキャストルータコンポーネント１０６もシャーシ１０６ｃを含み、その中に、１次ルータマトリクスカード１０６ａと、１次ルータマトリクスカード１０６ａが故障した場合には、１次ルータマトリクスカード１０６ａと差し替えるために用いる冗長なルータマトリクスカード１０６ｂが支持可能に取付けられる。同様に、マルチシャーシで完全に冗長的であり線形に拡張可能なブロードキャストルータ１００の第４のブロードキャストルータコンポーネント１０８もシャーシ１０８ｃを含み、その中に、１次ルータマトリクスカード１０８ａと、１次ルータマトリクスカード１０８ａが故障した場合には、１次ルータマトリクスカード１０８ａと差し替えるために用いる冗長なルータマトリクスカード１０８ｂが支持可能に取付けられる。当然ながら、ルートマトリクスカード１０２ａ、１０４ａ、１０６ａ、及び１０８ａが故障した場合に、ルートマトリクスカード１０２ａ、１０４ａ、１０６ａ、及び１０８ａのバックアップとして用いる冗長なマトリクスカードとしてのルートマトリクスカード１０２ｂ、１０４ｂ、１０６ｂ、及び１０８ｂそれぞれの指定は、純粋に任意であり、１つのブロードキャストルータコンポーネント内に備えられる一対のルータマトリクスカードのどちらかがそのブロードキャストルータコンポーネント内に備えられる一対のルータマトリクスカードのもう一つのバックアップとして作用し得ることが十分に考えられることである。
【０００９】
ブロードキャストルータコンポーネント１０２、１０４、１０６、及び１０８のそれぞれは、１次及び冗長ルータマトリクスカードを含むが、以下により詳細に説明するように、１つのブロードキャストルータコンポーネントのための１次ルータマトリクスカードは、そのブロードキャストルータコンポーネントの冗長ルータマトリクスカードと略同一であっても同じでなくてもよい。より具体的には、第１のブロードキャストルータコンポーネント１０２について、１次ルータマトリクスカード１０２ａは、冗長ルータマトリクスカード１０２ｂとは異なるように構成される。同様に、第２のブロードキャストルータコンポーネント１０４について、１次ルータマトリクスカード１０４ａは、冗長ルータマトリクスカード１０４ｂとは異なるように構成される。しかし、第３及び第４のブロードキャストルータコンポーネントについては、１次ルータマトリクスカード１０６ａ及び１０８ａは、冗長ルータマトリクスカード１０６ｂ及び１０８ｂとそれぞれ略同一である。しかし、ブロードキャストルータコンポーネント１０２、１０４、１０６、及び１０８のそれぞれについて、１次ルータマトリクスカード上に備えられるルーティングエンジンは、冗長ルータマトリクスカード上に備えられるルーティングエンジンと略同一であることに留意すべきである。
【００１０】
図１に更に示すように、第１のブロードキャストルータコンポーネント１０２の１次ルータマトリクスカード１０２ａ、第２のブロードキャストルータコンポーネント１０４の１次ルータマトリクスカード１０４ａ、第３のブロードキャストルータコンポーネント１０６の１次ルータマトリクスカード１０６ａ、及び第４のブロードキャストルータコンポーネント１０４の１次ルータマトリクスカード１０４ａは、完全に接続されたトポロジーに一致するルータマトリクスカードの第１の配置に互い結合される。同様に、第１のブロードキャストルータコンポーネント１０２の冗長ルータマトリクスカード１０２ｂ、第２のブロードキャストルータコンポーネント１０４の冗長ルータマトリクスカード１０４ｂ、第３のブロードキャストルータコンポーネント１０６の冗長ルータマトリクスカード１０６ｂ、及び第４のブロードキャストルータコンポーネント１０４の冗長ルータマトリクスカード１０８ｂは、第１の配置と同様に、完全に接続されたトポロジーに一致するルータマトリクスカードの第２の配置に互い結合される。完全に接続されたトポロジーでは、ルータマトリクスカードの配置の各ルータマトリクスカードは、別個のリンクによって、ルータマトリクスカードの配置の一部を形成する各他のルータマトリクスカードに結合される。
【００１１】
従って、ルータマトリクスカードの第１の配置について、第１、第２、及び第３の双方向性リンク１１０、１１２、及び１１４が、第１のブロードキャストルータコンポーネント１０２のシャーシ１０２ｃ内に備わる１次ルータマトリクスカード１０２ａを、第２のブロードキャストルータコンポーネント１０４のシャーシ１０４ｃ内に備えられる１次ルータマトリクスカード１０４ａ、第３のブロードキャストルータコンポーネント１０６のシャーシ１０６ｃ内に備えられる１次ルータマトリクスカード１０６ａ、及び、第４のブロードキャストルータコンポーネント１０８のシャーシ１０８ｃ内に備えられる１次ルータマトリクスカード１０８ａにそれぞれ結合する。更に、第４及び第５の双方向性リンク１１６及び１１８は、第２のブロードキャストルータコンポーネント１０４のシャーシ１０４ｃ内に備わる１次ルータマトリクスカード１０４ａを、第３のブロードキャストルータコンポーネント１０６のシャーシ１０６ｃ内に備えられる１次ルータマトリクスカード１０６ａと第４のブロードキャストルータコンポーネント１０８のシャーシ１０８ｃ内に備えられる１次ルータマトリクスカード１０８ａにそれぞれ結合する。最後に、第６の双方向性リンク１２０は、第３のブロードキャストルータコンポーネント１０６のシャーシ１０６ｃ内に備えられる１次ルータマトリクスカード１０６ａを、第４のブロードキャストルータコンポーネント１０８のシャーシ１０８ｃ内に備えられる１次ルータマトリクスカード１０８ａに結合する。
【００１２】
同様に、ルータマトリクスカードの第２の配置について、第１、第２、及び第３の双方向性リンク１２２、１２４、及び１２６が、第１のブロードキャストルータコンポーネント１０２のシャーシ１０２ｃ内に備わる冗長ルータマトリクスカード１０２ｂを、第２のブロードキャストルータコンポーネント１０４のシャーシ１０４ｃ内に備えられる冗長ルータマトリクスカード１０４ｂ、第３のブロードキャストルータコンポーネント１０６のシャーシ１０６ｃ内に備えられる冗長ルータマトリクスカード１０６ｂ、及び、第４のブロードキャストルータコンポーネント１０８のシャーシ１０８ｃ内に備えられる冗長ルータマトリクスカード１０６ｂにそれぞれ結合する。更に、第４及び第５の双方向性リンク１２８及び１３０は、第２のブロードキャストルータコンポーネント１０４のシャーシ１０４ｃ内に備わる冗長ルータマトリクスカード１０４ｂを、第３のブロードキャストルータコンポーネント１０６のシャーシ１０６ｃ内に備えられる冗長ルータマトリクスカード１０６ｂと第４のブロードキャストルータコンポーネント１０８のシャーシ１０８ｃ内に備えられる冗長ルータマトリクスカード１０８ｂにそれぞれ結合する。最後に、第６の双方向性リンク１３２は、第３のブロードキャストルータコンポーネント１０６のシャーシ１０６ｃ内に備えられる冗長ルータマトリクスカード１０６ｂを、第４のブロードキャストルータコンポーネント１０８のシャーシ１０８ｃ内に備えられる冗長ルータマトリクスカード１０８ｂに結合する。
【００１３】
第２、第３、及び第４のブロードキャストルータコンポーネント１０２、１０４、１０６、及び１０８を以下に詳細に説明する。図２は、第１のブロードキャストルータコンポーネント１０２を示す。上述したように、第１のブロードキャストルータコンポーネント１０２は、１次ルータマトリクスカード１０２ａと冗長ルータマトリクスカード１０２ｂを含み、それぞれ、第１のブロードキャストルータコンポーネント１０２のシャーシ１０２ｃ（図２に図示せず）内に摺動可能に受容され、且つ、シャーシ１０２ｃによって支持可能に取付けられる。更に、入力カード１３６−１乃至１３６Ｎと、出力カード１３８−１乃至１３８Ｍが、シャーシ１０２ｃ内に摺動可能に受容され且つシャーシ１０２ｃによって支持可能に取付けられる。各入力カード１３６−１乃至１３６Ｎは、１次ルータマトリクスカード１０２ａ及び冗長ルータマトリクスカード１０２ｂに結合される。同様に、各出力カード１３８−１乃至１３８−Ｍも、１次ルータマトリクスカード１０２ａ及び冗長ルータマトリクスカード１０２ｂに結合される。当然ながら、図２には、別個の入力カード１３６−１乃至１３６−Ｎと出力カード１３８−１乃至１３８−Ｍを示すが、所望される場合には、両方の入力カード及び出力カード、例えば、入力カード１３６−１及び出力カード１３８−１上に備わる機能性は、単一の入力／出力（「Ｉ／Ｏ」）カード上に配置されてもよいことは明確に理解すべきである。更に、図２は、別個の入力カード１３６−１乃至１３６Ｎと出力カード１３８−１乃至１３８−Ｍを示すが、利用可能な空間に依存して、入力カード、例えば、入力カード１３６−１或いは出力カード、例えば、出力カード１３８−１上、又は、両方の上に備えられるものとして示す全ての又は部分的な機能性は、１次ルータマトリクスカード１０２ａ、冗長ルータマトリクスカード１０２ｂ、又はその組合わせの上に備えられてもよいことは十分に考えられることである。
【００１４】
各入力カード１３６−１乃至１３６−Ｎ上には、入力信号選択回路（図示せず）が備わる。入力信号選択回路は、受信した複数の入力信号から、１次ルータマトリクスカード１０２ａ及び冗長ルータマトリクスカード１０２ｂに渡す入力信号を選択する。一般的に、入力信号選択回路は、米国音響技術者協会（Audio  Engineering  Society）−１１（「ＡＥＳ−１１」）規格に従う入力デジタルオーディオデータストリームと、ＡＥＳ−１０規格内に記載されるマルチチャンネルデジタルオーディオインタフェース（「ＭＡＤＩ」）規格に従う入力デジタルオーディオデータストリームとの間で選択するよう用いられる。この点について、ＭＡＤＩ入力デジタルオーディオデータストリームは、最大で３２のＡＥＳデジタルオーディオデータストリームを含み得、また、入力選択回路への各入力は、一般的に、抽出回路（これも図示せず）によってＭＡＤＩ入力デジタルオーディオデータストリームから前に抽出された単一のＡＥＳデジタルオーディオデータストリームを含み得ることに留意すべきである。当然ながら、このような構成は単に例示的であり、入力信号選択回路は、第１のブロードキャストルータコンポーネント１０２が、入力として、単一のタイプのデジタルオーディオデータを受信するよう構成される場合は、必要ではないことは十分に考えられる。
【００１５】
入力カード１３６−１乃至１３６−Ｎのそれぞれの上に備えられる入力選択回路が、１次ルータマトリクスカード１０２ａ及び冗長ルータマトリクスカード１０２ｂのそれぞれに伝送される入力デジタルオーディオストリームを選択するので、１次ルータマトリクスカード１０２ａ及び冗長ルータマトリクスカード１０２ｂのそれぞれは、入力カード１３６−１乃至１３６−Ｎから、入力デジタルオーディオ信号１乃至Ｎをそれぞれ受信する。１次ルータマトリクスカード１０２ａ上には、ルーティングエンジン（「ＲＥ」）１４０、伝送拡張ポート（「ＥＸＰ」）１４６、第１、第２、及び第３の受信拡張ポート（図示せず）、第１のマスタクロック（「ＣＬＫ−Ａ」）１３４、及び第１のステートマシーン（「ＳＭ」）１４８が備わる。入力カード１３６−１乃至１３６−Ｎのそれぞれから伝搬される入力デジタルオーディオストリーム１乃至Ｎは、ルーティングエンジン１４０及び伝送拡張ポート１４６に伝送される。ルーティングエンジン１４０と伝送拡張ポート１４６の動作は、同時係属中の米国特許出願番号１０／          （代理人整理番号ＩＵ０２０１６０）に詳細が記載され、これは、本願に参考として組み込んでいる。しかし、簡単に説明すると、伝送拡張ポート１４６によって受信されるＮ個の入力デジタルオーディオデータストリームは、第２のルータマトリクスコンポーネント１０４の１次ルータマトリクスカード１０４ａと、第３のルータマトリクスコンポーネント１０６の１次ルータマトリクスカード１０６ａと、第４のルータマトリクスコンポーネント１０８の１次ルータマトリクスカード１０８ａに転送される。ルータマトリクスカード１０４ａ、１０６ａ、及び１０８ａは、それぞれ受信した入力デジタルオーディオデータストリームＮ＋１乃至２Ｎ、２Ｎ＋１乃至３Ｎ、及び３Ｎ＋１乃至４Ｎをルーティングエンジン１４０に伝送する伝送拡張ポートが同様に設けられる。
【００１６】
第２、第３、及び第４のブロードキャストルータコンポーネント１０４、１０６、及び１０８のそれぞれから受信した入力デジタルオーディオデータストリームＮ１＋１乃至２Ｎ、２Ｎ＋１乃至３Ｎ、及び３Ｎ＋１乃至４Ｎと共に、入力カード１３６−１乃至１３６−Ｎにより出力される入力デジタルオーディオストリーム１乃至Ｎは、ルーティングエンジン１４０への入力として与えられる。ルーティングエンジン１４０上に備わる信号選択機能性が、そこからのＭ個の出力のそれぞれが、そこへの４Ｎ個の入力の選択された入力に接続されることを可能にする。Ｍ個の出力のうちのそれぞれが接続される４Ｎ個の入力のうちの特定の１つの選択は、制御回路（図示せず）によって制御される。ルーティングエンジン１４０から、Ｍ個の出力デジタルオーディオデータストリームのそれぞれは、出力カード１３８−１乃至１３８−Ｍのうちの対応する出力カードに伝搬される。出力カード１３８−１乃至１３８−Ｍのそれぞれの上には、第１のルータマトリクスカード１０２ａから受信される第１の出力デジタルオーディオデータストリームと第２のルータマトリクスカード１０２ｂから受信される第２の出力デジタルオーディオデータストリームから、第１のブロードキャストルータコンポーネント１０２から出力されるデジタルオーディオデータストリームを選択する出力信号選択回路（図示せず）が備えられる。
【００１７】
上述したように、第１のマスタクロック１３４と第１のステートマシーン１４８も、第１のブロードキャストルータコンポーネント１０２の第１のルータマトリクスカード１０２ａ上に備えられる。以下により詳細に説明するように、第１のマスタクロック１３４は、ブロードキャストルータ１００の全てのクロック要求コンポーネントに第１の共通クロック信号を供給する。本願に開示するように、ブロードキャストルータコンポーネント１０２、１０４、１０６、及び１０８のそれぞれの入力カード及び出力カードが、クロック要求コンポーネントとして示す。しかし、上述の開示は、単に例示的であり、図面に示すコンポーネント及び／又は説明を容易にするために図面から省略されたコンポーネントを含む他のコンポーネントも、クロック要求コンポーネントであり得る。従って、第１のマスタクロック１３４によって生成される第１の共通クロック信号は、入力カード１３６−１乃至１３６−Ｎと出力カード１３８−１乃至１３８−Ｍのそれぞれのクロック入力ＣＬＫ−Ａに関連付けられる。第１のマスタクロック１３４によって生成される第１の共通クロック信号は、リンク１１０を介して第２のブロードキャストルータコンポーネント１０４にも渡され、ここでは、信号は、入力カード１４２−１乃至１４２−Ｎ及び出力カード１４４−１乃至１４４−Ｍのそれぞれのクロック入力ＣＬＫ−Ａに関連付けられる。第１のマスタクロック１３４によって生成される第１の共通クロック信号は、例えば、ブロードキャストルータコンポーネント１０４といった別のブロードキャストルータコンポーネントに、様々な技術を用いて分配され得る。第１のマスタクロックは、第１の共通クロック信号ＣＬＫ−Ａを伝送拡張ポート１４６に転送し、ここでは、その信号は、リンク１１０を介して１次ルータマトリクスカード１０４ａ上に備わる受信拡張ポートに伝送されるデータ信号に付加されることが好適である。１次ルータマトリクスカード１０４ａにデータ信号が到着すると、第１の共通クロック信号ＣＬＫ−Ａは、１次ルータマトリクスカード１０４ａのクロック要求コンポーネントへの次なる分配のために、データ信号から抽出される。或いは、第１の共通クロック信号ＣＬＫ−Ａは、リンク１１０上を別個の線、例えば、導電線又は光ファイバを用いて、例えば、第１の共通クロック信号を運ぶ線を、伝送拡張ポート１４６から第２のブロードキャストルータコンポーネント１０４にデジタルオーディオデータ信号１乃至Ｎを運ぶ線とを絡み合わせることによって、個々に又は集合的にリンク１１０を形成する既存の一本以上の線に線を追加することによって第１の共通クロック信号を独占的に運ぶことも考えられる。同様に、第１のマスタクロック１３４の出力は、リンク１１２及び１１４をそれぞれ介して、第３のブロードキャストルータコンポーネント１０６及び第４のブロードキャストルータコンポーネント１０８にも渡され、第３のブロードキャストルータコンポーネント１０６及び第４のブロードキャストルータコンポーネント１０８の全ての入力及び出力カードに第１の共通クロック信号を分配する。当然ながら、図２は、入力及び出力カードのみを、クロック要求コンポーネントとして示すが、図２に示す第１のブロードキャストルータコンポーネント１０２の他のコンポーネント並びに説明を容易にするために図２から省略される第１のブロードキャストルータコンポーネント１０２のコンポーネントも、第２のマスタクロック１３４に結合されるＣＬＫ−Ａクロック入力を有するクロック要求コンポーネントであり得る。
【００１８】
第１のマスタクロック１３４は、第１のステートマシーン１４８によって制御される。図２に更に示すように、ステートマシーン１４８は、ルーティングエンジン１４０に結合される第１の入力と、伝送拡張ポート１４６に結合される第２の入力と、第２のブロードキャストルータコンポーネント１０４の冗長ルータマトリクスカード１０４ｂ上に備わるルーティングエンジン１５０に結合される第３の入力と、第２のブロードキャストルータコンポーネント１０４の冗長ルータマトリクスカード１０４ｂ上に備わる伝送拡張ポート１５２に結合される第４の入力と、第１のマスタクロック１３４に結合される出力を有する。本願に開示するように、第２のブロードキャストルータコンポーネント１０４の第２のルータマトリクスカード１０４ｂからのステートマシーン１４８への第３及び第４の入力は、それぞれリンク１１０及び１２２を介してステートマシーン１４８に結合される。しかし、第３及び第４の入力は、他のリンクを介してステートマシーン１４８に結合されるか、又は、所望される場合には、両方の入力は、リンク１１０又はリンク１２２のいずれかによってステートマシーン１４８に結合されてもよい。更に、ステートマシーン１４８の動作の精密な詳細は、以下に詳細に説明するが、簡単に説明すると、第１のステートマシーン１４８は、その第１、第２、第３、及び第４の入力に結合されるルーティングエンジン１４０、伝送拡張ポート１４６、ルーティングエンジン１５０と、伝送拡張ポート１５２の動作状態に基づいて第１のマスタクロック１３４を選択的にアクティブ／非アクティブにする。
【００１９】
図２に示す１次ルータマトリクスカード１０２ａの４つのコンポーネントのうち、冗長ルータマトリクスカード１０２ｂは、入力カード１３６−１乃至１３６−Ｎにからのデジタルオーディオデータ入力信号１乃至Ｎを受信するよう結合される伝送拡張ポート（図示せず）と、入力カード１３６−１乃至１３６−Ｎからデジタルオーディオデータ信号１乃至Ｎを、リンク１２２を介して冗長ルータマトリクスカード１０４ｂからデジタルオーディオデータ信号Ｎ＋１乃至２Ｎを、リンク１２４を介して冗長ルータマトリクスカード１０６ｂからデジタルオーディオデータ信号２Ｎ＋１乃至３Ｎを、そして、リンク１２６を介して冗長ルータマトリクスカード１０８ｂからデジタルオーディオデータ信号３Ｎ＋１乃至４Ｎを受信するよう結合されるルーティングエンジン（これも図示せず）のみを含む。ルーティングエンジンは更に、出力カード１乃至Ｍにそれぞれ結合されるＭ個の出力を含む。ルーティングエンジン内に備わる信号選択機能性は、ルーティングエンジンからのＭ個の出力のそれぞれが、ルーティングエンジンへの４Ｎ個の入力のうちの選択された入力に接続されるようにする。１次ルータマトリクスカード１０２ａ上に備わるルーティングエンジン１４０と、冗長ルータマトリクスカード１０２ｂ上に備わるルーティングエンジンは同様に制御され、それにより、１次ルータマトリクスカード１０２ａのＭ個の出力デジタルオーディオデータストリームは、冗長ルータマトリクスカード１０２ｂのＭ個の出力デジタルオーディオデータストリームと同じであるようにする。
【００２０】
図３は、第２のブロードキャストルータコンポーネント１０４を示す。上述したように、第２のブロードキャストルータコンポーネント１０４は、１次ルータマトリクスカード１０４ａと冗長ルータマトリクスカード１０４ｂを含み、それぞれ、第２のブロードキャストルータコンポーネント１０４のシャーシ１０４ｃ（図３には図示せず）内に摺動可能に受容され且つ支持可能に取付けられる。更に、入力カード１４２−１乃至１４２Ｎと、出力カード１４４−１乃至１４４Ｍがシャーシ１０４ｃ内に摺動可能に受容され且つシャーシ１０４ｃによって支持可能に取付けられる。各入力カード１４２−１乃至１４２−Ｎは、１次ルータマトリクスカード１０４ａ及び冗長ルータマトリクスカード１０４ｂに結合される。同様に、各出力カード１４４−１乃至１４４−Ｍも、１次ルータマトリクスカード１０４ａ及び冗長ルータマトリクスカード１０４ｂに結合される。当然ながら、図３には、別個の入力カード１４２−１乃至１４２−Ｎと出力カード１４４−１乃至１４４−Ｍを示すが、所望される場合には、両方の入力カード及び出力カード、例えば、入力カード１４２−１及び出力カード１４４−１上に備わる機能性は、単一のＩ／Ｏカード上に配置されてもよいことは明確に理解すべきである。更に、図３は、別個の入力カード１４２−１乃至１４２Ｎと出力カード１４４−１乃至１４４−Ｍを示すが、利用可能な空間に依存して、入力カード、例えば、入力カード１４２−１或いは出力カード、例えば、出力カード１４４−１上、又は、両方の上に備えられるものとして示す全ての又は部分的な機能性は、１次ルータマトリクスカード１０４ａ、冗長ルータマトリクスカード１０４ｂ、又はその組合わせの上に備えられてもよいことは十分に考えられることである。
【００２１】
各入力カード１４２−１乃至１４２−Ｎ上には、入力信号選択回路（図示せず）が備わる。入力信号選択回路は、受信した複数の入力信号から、１次ルータマトリクスカード１０４ａ及び冗長ルータマトリクスカード１０４ｂに渡す入力信号を選択する。一般的に、入力信号選択回路は、ＡＥＳ−１１規格に従う入力デジタルオーディオデータストリームと、ＡＥＳ−１０規格内に記載されるＭＡＤＩ規格に従う入力デジタルオーディオデータストリームとの間で選択するよう用いられる。ここでも、この点について、ＭＡＤＩ入力デジタルオーディオデータストリームは、最大で３２のＡＥＳデジタルオーディオデータストリームを含み得、また、入力選択回路への各入力は、一般的に、抽出回路（これも図示せず）によってＭＡＤＩ入力デジタルオーディオデータストリームから前に抽出された単一のＡＥＳデジタルオーディオデータストリームを含み得ることに留意すべきである。当然ながら、このような構成は単に例示的であり、Ｎ＋１乃至２Ｎの入力デジタルオーディオデータストリームのうちの複数のストリームが、入力カード１４２−１乃至１４２−Ｎのうちの単一の入力カードから受信されてもよいことは十分に考えられる。
【００２２】
入力カード１４２−１乃至１４２−Ｎのそれぞれに備えられる入力選択回路が、１次ルータマトリクスカード１０４ａ及び冗長ルータマトリクスカード１０４ｂのそれぞれに伝送される入力デジタルオーディオストリームを選択するので、１次ルータマトリクスカード１０４ａ及び冗長ルータマトリクスカード１０４ｂのそれぞれは、入力カード１４２−１乃至１４２−Ｎから、入力デジタルオーディオ信号Ｎ＋１乃至２Ｎをそれぞれ受信する。冗長ルータマトリクスカード１０４ｂ上には、ルーティングエンジン１５０、伝送拡張ポート１５２、第１、第２、及び第３の受信拡張ポート（図示せず）、第２のマスタクロック（「ＣＬＫ−Ｂ」）１５４、及び第２のステートマシーン１５６が備えられる。入力カード１４２−１乃至１４２−Ｎのそれぞれから伝搬される入力デジタルオーディオストリームＮ＋１乃至２Ｎは、ルーティングエンジン１５０及び伝送拡張ポート１５２に伝送される。上述したように、ルーティングエンジン１５０と伝送拡張ポート１５２の動作は、同時係属中の米国特許出願番号１０／          （代理人整理番号ＩＵ０２０１６０）に詳細が記載され、これは、本願に参考として組み込んでいる。しかし、簡単に説明すると、伝送拡張ポート１５２によって受信される入力デジタルオーディオデータストリームＮ＋１乃至２Ｎは、第１のルータマトリクスコンポーネント１０２の冗長ルータマトリクスカード１０２ｂと、第３のルータマトリクスコンポーネント１０６の冗長ルータマトリクスカード１０６ｂと、第４のルータマトリクスコンポーネント１０８の冗長ルータマトリクスカード１０８ｂに転送される。ルータマトリクスカード１０２ｂ、１０６ｂ、及び１０８ｂは、それぞれ受信した入力デジタルオーディオデータストリーム１乃至Ｎ、２Ｎ＋１乃至３Ｎ、及び３Ｎ＋１乃至４Ｎをルーティングエンジン１５０に伝送する伝送拡張ポートが同様に設けられる。
【００２３】
第１、第３、及び第４のブロードキャストルータコンポーネント１０２、１０６、及び１０８それぞれから受信した入力デジタルオーディオデータストリーム１乃至Ｎ、２Ｎ＋１乃至３Ｎ、及び３Ｎ＋１乃至４Ｎと共に、入力カード１４２−１乃至１４２−Ｎから伝搬されるＮ＋１乃至２Ｎの入力デジタルオーディオストリームは、ルーティングエンジン１５０に入力として与えられる。ルーティングエンジン１５０上に備わる信号選択機能性が、そこからのＭ個の出力のそれぞれが、そこへの４Ｎ個の入力の選択された入力に接続されることを可能にする。Ｍ個の出力のうちのそれぞれが接続される４Ｎ個の入力のうちの特定の１つの選択は、制御回路（図示せず）によって制御される。ルーティングエンジン１５０から、Ｍ個の出力デジタルオーディオデータストリームのそれぞれは、出力カード１４４−１乃至１４４−Ｍのうちの対応する出力カードに伝搬される。出力カード１４４−１乃至１４４−Ｍのそれぞれの上には、第１のルータマトリクスカード１０４ａから受信される第１の出力デジタルオーディオデータストリームと第２のルータマトリクスカード１０４ｂから受信される第２の出力デジタルオーディオデータストリームから、第２のブロードキャストルータコンポーネント１０４から出力されるデジタルオーディオデータストリームを選択する出力信号選択回路（図示せず）が備えられる。
【００２４】
上述したように、第２のマスタクロック１５４と第１のステートマシーン１５６も、第２のブロードキャストルータコンポーネント１０４の第２のルータマトリクスカード１０４ｂ上に備えられる。以下により詳細に説明するように、第２のマスタクロック１５４は、ブロードキャストルータ１００の全てのクロック要求コンポーネントに、第２の、冗長的な共通クロック信号を供給する。従って、第２のマスタクロック１５４の出力は、入力カード１４２−１乃至１４２−Ｎと出力カード１４４−１乃至１４４−Ｍのそれぞれのクロック入力ＣＬＫ−Ｂに関連付けられる。第２のマスタクロック１５４の出力は、リンク１１２を介して第１のブロードキャストルータコンポーネント１０２にも渡され、ここでは、信号は、入力カード１３６−１乃至１３６−Ｎ及び出力カード１３８−１乃至１３８−Ｍのそれぞれのクロック入力ＣＬＫ−Ｂに関連付けられる。第２のマスタクロック１５４は、第２の共通クロック信号ＣＬＫ−Ｂを伝送拡張ポート１５２に転送し、ここでは、その信号は、リンク１２２を介して１次ルータマトリクスカード１０２ａ上に備わる受信拡張ポートに伝送されるデータ信号に付加されることが好適である。１次ルータマトリクスカード１０２ａにデータ信号が到着すると、第２の共通クロック信号ＣＬＫ−Ｂは、１次ルータマトリクスカード１０２ａのクロック要求コンポーネントへの次なる分配のために、データ信号から抽出される。或いは、第２の共通クロック信号ＣＬＫ−Ｂは、リンク１２４上を別個の線、例えば、導電線又は光ファイバを用いて、例えば、第１の共通クロック信号を運ぶ線を、伝送拡張ポート１５２から第１のブロードキャストルータコンポーネント１０４にデジタルオーディオデータ信号Ｎ＋１乃至２Ｎを運ぶ線とを絡み合わせることによって、個々に又は集合的にリンク１２４を形成する既存の一本以上の線に線を付加することによって第２の共通クロック信号を独占的に運ぶことも考えられる。同様に、第２のマスタクロック１５４の出力は、リンク１２８及び１３０をそれぞれ介して、第３のブロードキャストルータコンポーネント１０６及び第４のブロードキャストルータコンポーネント１０８にも渡され、第３のブロードキャストルータコンポーネント１０６及び第４のブロードキャストルータコンポーネント１０８の全ての入力及び出力カードに分配する。当然ながら、図３は、入力及び出力カードのみを、クロック要求コンポーネントとして示すが、図３に示す第２のブロードキャストルータコンポーネント１０４の他のコンポーネント並びに説明を容易にするために図３から省略される第２のブロードキャストルータコンポーネント１０４のコンポーネントも、第２のマスタクロック１５４に結合されるＣＬＫ−Ｂクロック入力を有するクロック要求コンポーネントであり得る。しかし、マルチシャーシで完全に冗長的であり線形に拡張可能なブロードキャストルータ１００の全てのクロック要求コンポーネントは、それぞれ第１のマスタクロック１３４及び第２のマスタクロック１５４に結合されるＣＬＫ−Ａ及びＣＬＫ−Ｂ入力の両方を含むよう構成されるべきであることに留意すべきである。
【００２５】
第２のマスタクロック１５４は、ステートマシーン１５６によって制御される。図３に更に示すように、ステートマシーン１５６は、ルーティングエンジン１５０に結合される第１の入力と、伝送拡張ポート１５２に結合される第２の入力と、第１のブロードキャストルータコンポーネント１０２の１次ルータマトリクスカード１０２ａ上に備わるルーティングエンジン１４０に結合される第３の入力と、第１のブロードキャストルータコンポーネント１０２の１次ルータマトリクスカード１０２ａ上に備わる伝送拡張ポート１４６に結合される第４の入力と、第２のマスタクロック１５４に結合される出力を有する。本願に開示するように、第１のブロードキャストルータコンポーネント１０２の第１のルータマトリクスカード１０２ａからのステートマシーン１５６への第３及び第４の入力は、それぞれリンク１２２及び１１０を介してステートマシーン１５６に結合される。しかし、第３及び第４の入力は、他のリンクを介してステートマシーン１５６に結合されるか、又は、所望される場合には、両方の入力は、リンク１１０又はリンク１２２のいずれかによってステートマシーン１５６に結合されてもよい。更に、ステートマシーン１５６の動作の精密な詳細は、以下に詳細に説明するが、簡単に説明すると、ステートマシーン１５６は、ステートマシーン１５６に結合されるルーティングエンジン１５０、伝送拡張ポート１５２、ルーティングエンジン１４０と、伝送拡張ポート１４６の動作状態に基づいて第２のマスタクロック１５４を選択的にアクティブ／非アクティブにする。
【００２６】
図３に示す冗長ルータマトリクスカード１０４ｂの４つのコンポーネントのうち、１次ルータマトリクスカード１０４ａは、入力カード１４２−１乃至１４２−Ｎにからのデジタルオーディオデータ入力信号Ｎ＋１乃至２Ｎを受信するよう結合される伝送拡張ポート（図示せず）と、入力カード１４２−１乃至１４２−Ｎからデジタルオーディオデータ信号Ｎ＋１乃至２Ｎを、リンク１１０を介して１次ルータマトリクスカード１０２ａからデジタルオーディオデータ信号１乃至Ｎを、リンク１１６を介して１次ルータマトリクスカード１０６ａからデジタルオーディオデータ信号２Ｎ＋１乃至３Ｎを、そして、リンク１１８を介して１次ルータマトリクスカード１０８ａからデジタルオーディオデータ信号３Ｎ＋１乃至４Ｎを受信するよう結合されるルーティングエンジン（これも図示せず）のみを含む。ルーティングエンジンは更に、出力カード１乃至Ｍにそれぞれ結合されるＭ個の出力を含む。ルーティングエンジン内に備わる信号選択機能性は、ルーティングエンジンからのＭ個の出力のそれぞれが、ルーティングエンジンへの４Ｎ個の入力のうちの選択された入力に接続されるようにする。冗長ルータマトリクスカード１０４ｂ上に備わるルーティングエンジン１５０と、１次ルータマトリクスカード１０４ａ上に備わる１次エンジンは同様に制御され、それにより、１次ルータマトリクスカード１０４ａのＭ個の出力デジタルオーディオデータストリームは、冗長ルータマトリクスカード１０４ｂのＭ個の出力デジタルオーディオデータストリームと同じであるようにする。
【００２７】
第３のブロードキャストルータコンポーネント１０６及び第４のブロードキャストルータコンポーネント１０８は、互いに略同一であり、第１のブロードキャストルータコンポーネント１０２及び第２のブロードキャストルータコンポーネント１０４と幾分似ている。上述したように、第３のブロードキャストルータコンポーネント１０６は、１次ルータマトリクスカード１０６ａ及び冗長ルータマトリクスカード１０６ｂを含み、それぞれ、シャーシ１０６ｃ内に摺動可能に受容され且つシャーシ１０６ｃによって支持可能に取付けられる。同様に、第４のブロードキャストルータコンポーネント１０８も１次ルータマトリクスカード１０８ａ及び冗長ルータマトリクスカード１０８ｂを含み、それぞれ、シャーシ１０８ｃ内に摺動可能に受容され且つシャーシ１０８ｃによって支持可能に取付けられる。第３のブロードキャストルータコンポーネント１０６の１次ルータマトリクスカード１０６ａ及び冗長ルータマトリクスカード１０６ｂ並びに第４のブロードキャストルータコンポーネント１０８の１次ルータマトリクスカード１０８ａ及び冗長ルータマトリクスカード１０８ｂは一般的に、第１のブロードキャストルータコンポーネント１０２の冗長ルータマトリクスカード１０２ｂ及び／又は第２のブロードキャストルータコンポーネント１０４の１次ルータマトリクスカード１０４ａと略同様に構成される。言い換えると、１次ルータマトリクスカード１０６ａ及び１０８ａ、並びに、冗長ルータマトリクスカード１０６ｂ及び１０８ｂは、全て、伝送拡張ポート、ルーティングエンジン、及び複数の受信拡張ポートを含むが、マスタクロック及びステートマシーンは含まない。
【００２８】
第３のブロードキャストルータコンポーネント１０６及び第４のブロードキャストルータコンポーネント１０８のそれぞれは更に、Ｎ個の入力カードとＭ個の出力カードを含み、それらは全て、それぞれシャーシ１０６ｃ及び１０８ｃ内に摺動可能に受容され且つシャーシ１０６ｃ及び１０８ｃによって支持可能に取付けられる。第３のブロードキャストルータコンポーネント１０６の各入力及び出力カードは、１次ルータマトリクスカード１０６ａと冗長ルータマトリクスカード１０６ｂのそれぞれに結合される。同様に、第４のブロードキャストルータコンポーネント１０８の各入力及び出力カードも、１次ルータマトリクスカード１０８ａと冗長ルータマトリクスカード１０８ｂのそれぞれに結合される。第１のブロードキャストルータコンポーネント１０２及び第２のブロードキャストルータコンポーネント１０４の入力及び出力カードと同様に、第３のブロードキャストルータコンポーネント１０６及び第４のブロードキャストルータコンポーネント１０８の各入力カード及び出力カードは、それぞれ第１のマスタクロック１３４及び第２のマスタクロック１５４に関連付けられるＣＬＫ−Ａ入力とＣＬＫ−Ｂ入力を共に含む。より具体的には、第３のブロードキャストルータコンポーネント１０６の入力及び出力カードは、リンク１１２を介して第１のマスタクロック１３４に、また、リンク１２８を介して第２のマスタクロック１５４に関連付けられ、一方、第４のブロードキャストルータコンポーネント１０８の入力及び出力カードは、リンク１１４を介して第１のマスタクロック１３４に、また、リンク１３０を介して第２のマスタクロック１５４に関連付けられる。
【００２９】
上述したように、マルチシャーシブロードキャストルータ１００の各シャーシ１０２ｃ、１０４ｃ、１０６ｃ、及び１０８ｃに備わるクロック要求コンポーネントは、例えば、第１のマスタクロック１３４によって生成されるＣＬＫ−Ａ信号である共通のクロック信号を受信するよう結合される。ブロードキャストルータ１００の各シャーシ１０２ｃ、１０４ｃ、１０６ｃ、及び１０８ｃに備わるクロック要求コンポーネントは更に、第２のマスタクロック１５４によって生成される、例えば、ＣＬＫ−Ｂ信号である冗長共通クロック信号を受信するよう結合される。しかし、冗長性は、任意のルータマトリクスカード、例えば、ルータマトリクスカード１０２ａ、又は、任意のシャーシ、例えば、シャーシ１０４ｂが、ブロードキャストルータ１００全体が機能しなくなることを引き起こすこと無く、機能しなくなることを可能にするように取り扱われる。以下に示す表Ｉは、この結果を可能にするために実施される論理を示す。以下に示す表Ｉに用いるように、１つのブロードキャストルータコンポーネントのための１つのルータマトリクスカードは、そのルータマトリクスカードが共に存在して且つ実行されているときに、「ＯＫ」と判断される。更に、伝送拡張ポートは、その伝送拡張ポートを有するルータマトリクスカード上に備わるマスタクロックから受信したクロック信号の周波数が比較的一定であるときに、「ロックされている」と判断される。
【００３０】
【表１】
2005531211.tif 000003
上述したように、表Ｉに示す要件セットに応じて共通クロック信号の冗長性を実施することによって、任意のルータマトリクスカード、例えば、ルータマトリクスカード１０２ａ、又は、任意のシャーシ、例えば、シャーシ１０４ｃは、ブロードキャストルータ１００全体が機能しなくなることを引き起こすこと無く、機能しなくなることが可能である。より具体的には、第１のブロードキャストルータ１０２が適切に動作している場合、即ち、ルータマトリクスカード１０２ａはＯＫであり、伝送拡張ポート１４６はロックされている場合、第１のマスタクロック１３４が、クロック信号ＣＬＫ−Ａを共通クロック信号として、マルチシャーシブロードキャストルータ１００のクロック要求コンポーネントの全てに分配し、それにより、マルチシャーシブロードキャストルータ１００が完全状態で動作することを可能にする。しかし、１次ルータマトリクスカード１０２ａが、伝送拡張ポート１４６が非ロックとなることによって機能しなくなる場合、第１のマスタクロックは依然としてクロック信号ＣＬＫ−Ａを生成することができるが、このクロック信号は、マルチシャーシブロードキャストルータ１００全体に分配されることができなくなる。このような状況では、冗長ルータマトリクスカード１０４ｂがＯＫであり、伝送拡張ポート１５２がロックされていると、第２のマスタクロック１５４が、クロック信号ＣＬＫ−Ｂを共通クロック信号として、マルチシャーシブロードキャストルータ１００の全てのクロック要求コンポーネント全てに分配することができ、それにより、マルチシャーシブロードキャストルータ１００が完全状態で動作し続けることを可能にする。同様に、例えば、１次ルータマトリクスカード１０２ａがなくて１次ルータマトリクスカード１０２が機能しなくなる場合、第１のマスタクロック１３４はクロック信号ＣＬＫ−Ａを供給することができない。このような状況では、伝送拡張ポート１４６がロックされていようといまいと、冗長ルータマトリクスカード１０４ｂがＯＫであり伝送拡張ポート１５２がロックされている場合には、第２のマスタクロック１５４が、クロック信号ＣＬＫ−Ｂを共通クロック信号として、マルチシャーシルータ１００のクロック要求コンポーネントの全てに再び分配し、それにより、マルチシャーシブロードキャストルータ１００が完全状態で動作し続けることを可能にする。
【００３１】
１次ルータマトリクスカード１０２ａはＯＫであるが、伝送拡張ポート１４６も伝送拡張ポート１５６もロックされていない場合は、第１のマスタクロック１３４が、マルチシャーシブロードキャストルータ１００のマスタクロックであるべきである。第１のマスタクロック１３４は依然としてクロック信号ＣＬＫ−Ａを生成することが可能であるが、クロック信号ＣＬＫ−Ａは、マルチシャーシブロードキャストルータ１００の他のシャーシに分配されることができない。ブロードキャストルータコンポーネント１０２のクロック要求コンポーネントのみが、共通のクロック信号を有するので、マルチシャーシブロードキャストルータ１００は、不完全状態で動作する。その一方で、１次ルータマトリクスカード１０２ａが機能しなくなり、冗長ルータマトリクスカード１０４ｂはＯＫなままであるが、伝送拡張ポート１５２はロックされない場合、第２のマスタクロック１５４が、マルチシャーシブロードキャストルータ１００のマスタクロックとなるべきである。第２のマスタクロック１５４は依然としてクロック信号ＣＬＫ−Ｂを生成することが可能であるが、クロック信号ＣＬＫ−Ｂは、マルチシャーシブロードキャストルータ１００の他のシャーシに分配されることができない。ブロードキャストルータコンポーネント１０４のクロック要求コンポーネントのみが、共通のクロック信号を有するので、マルチシャーシブロードキャストルータ１００は、ここでも不完全状態で動作する。最後に、１次ルータマトリクスカード１０２ａと冗長ルータマトリクスカード１０４ｂの両方が機能しなくなる場合、マルチシャーシブロードキャストルータにはマスタクロックがなく、マルチシャーシブロードキャストルータ１００のクロック要求コンポーネントのために共通のクロック信号が利用可能ではないので、マルチブロードキャストルータ１００は完全に機能しない。
【００３２】
上述の表Ｉは、ブーリアン論理を用いて実施されてもよい。しかし、そのようにすることによって、あまり理想的ではない動作が発生し得る。１次又は冗長ルータマトリクスカードの取外し又は挿入がルータの出力に如何なる欠陥ももたらさないようにすることが非常に望ましい。ロック状態と非ロック状態の切替えとクロック間の切替えのためにノングリッチングクロック多重化回路の使用が大体の問題を排除するであろう。この問題は、マスタクロック１３４及び１５４がわずかに異なる周波数を有するときに発生する。ルータマトリクスカードが取外される又は機能しなくなると、この結果は、回避することができない。しかし、ルータマトリクスカードの挿入は、この問題を必ずしももたらさなくてもよい。つまり、新しく挿入されたルータマトリクスカードが必要となるまでマスタとならなければ有利である。
【００３３】
上述した表Ｉの例示的な論理実施は、図４及び図５に示す状態図に示す。より具体的には、第１のステートマシーン１４８は、３つの状態、即ち、第１のステートマシーン１４８が、第１のマスタクロック１３４に信号ＣＬＫ−Ａをマルチシャーシブロードキャストルータ１００の全てのクロック要求コンポーネントに対して与えるよう命令を出す第１の（「マスタ」（即ち「Ｍ」））状態１５８と、第１のステートマシーン１４８が、第１のマスタクロック１３４に信号ＣＬＫ−Ａをマルチシャーシブロードキャストルータ１００の全てのクロック要求コンポーネントに対して与えないよう命令を出す第２の（「バックアップ」（即ち「Ｂ」））状態１６０と、第１のステートマシーン１４８が、再び第１のマスタクロック１３４に信号ＣＬＫ−Ａをマルチシャーシブロードキャストルータ１００の全てのクロック要求コンポーネントに対して与えないよう命令を出す第３の（「デッド」（即ち「Ｄ」））状態１６２を有する。最初は、第１のステートマシーン１４８は、第１の状態１５８にある。この状態では、ルーティングエンジン１４０からの入力は、第１のルータマトリクスカード１０２ａが存在して実行していることを示し、伝送拡張ポート１４６からの入力は、伝送拡張ポートがロックされていることを示す。ルーティングエンジン１５０及び伝送拡張ポート１５２からの入力は、関係がない。第１の状態１５８では、第１のステートマシーン１４８は、共通クロック信号ＣＬＫ−Ａをマルチシャーシブロードキャストルータ１００の全てのクロック要求コンポーネントに与えるよう第１のマスタクロック１５８に命令する信号を第１のマスタクロック１５８に与える。更に、マルチシャーシブロードキャストルータ１００の全てのクロック要求コンポーネントが第１のマスタクロック１３４から共通のクロック信号ＣＬＫ−Ａを受信するので、ブロードキャストルータの状態は、「完全」である、即ち、全てのブロードキャストルータコンポーネント１０２、１０４、１０６、及び１０８が動作している。
【００３４】
第２のマスタクロック１５４の動作状態に関係なく、第１のマスタクロック１３４は、ルーティングエンジン１４０又は伝送拡張ポート１４６が機能しなくなるまで共通のクロック信号ＣＬＫ−Ａを供給し続ける。ルーティングエンジンの機能不全は、ルーティングエンジン１４０からの入力が第１のルータマトリクスカード１０２ａが不在である又はもはや実行していないことを示すよう変化すると起きる。伝送拡張ポートの機能不全は、伝送拡張ポート１４６からの入力がクロック信号は一定ではなくなったことを示すと起きる。これらの状況のうち１つが起きると、第１のステートマシーン１４８は、第３の状態１６２に移行する。この状態では、第１のステートマシーン１４８は、マルチシャーシブロードキャストルータ１００のクロック要求コンポーネントに共通クロック信号ＣＬＫ−Ａを分配しないよう第１のマスタクロック１３４に信号を与える。表Ｉに示すように、ブロードキャストルータ１００のクロック要求コンポーネントの全て又は一部が共通のクロック信号を有するか否か、又はいずれも共通のクロック信号を有さないことは、第２のステートマシーン１５６の状態に依存する。
【００３５】
第３の状態１６２から、第１のステートマシーン１４８は、第１の状態１５８か又は第２の状態１６０に移行する。この移行は、ルーティングエンジン１４０からの入力が再び第１のルータマトリクスカード１０２ａは存在し実行していることを示し、また、伝送拡張ポート１４６からの入力が再び伝送拡張ポートはロックされていることを示すときに起きる。起きる特定の移行は、第２のステートマシーン１５６の状況に依存して起きる。より具体的には、第２のステートマシーン１５６が、第１の（「マスタ」）状態１６４にある場合は、第２のステートマシーン１５６は現在、ブロードキャストルータ１００のクロック要求コンポーネントに共通のクロック信号ＣＬＫ−Ｂを分配するよう第２のマスタクロック１５４に信号を与えている。第２のマスタクロック１５４が、共通のクロック信号ＣＬＫ−Ｂを分配している場合は、第１のステートマシーン１４８への第３及び第４の入力は、冗長ルータマトリクスカード１０４ｂはＯＫであり又伝送拡張ポート１５２はロックされていることを示す。それに応答して、第１のステートマシーン１４８は、共通のクロック信号ＣＬＫ−Ａを分配しないよう第１のマスタクロック１３４に命令を与える第３の状態１６０に移行する。しかし、第２のステートマシーン１５６が、他の状態にある場合は、第１のステートマシーン１４８は、共通のクロック信号ＣＬＫ−Ａを分配するよう第１のマスタクロック１３４に信号を再び与える第１の状態１５８に移行する。
【００３６】
第１のステートマシーン１４８は、第２の状態１６０から、第３の状態１６２又は第１の状態１５８に移行する。第３の状態１６２への移行は、第２のステートマシーン１５６とは関係なく起こることが可能である。具体的に、第１のステートマシーン１４８は、第１のステートマシーン１４８への第１の入力が、ルーティングエンジン１４０が機能しなくなったことを示すか、又は、第１のステートマシーン１４８への第２の入力が、伝送拡張ポート１４６が機能しなくなったことを示す場合に、第３の状態１６２に移行する。その一方で、第１の状態１５８への移行は、第２のステートマシーン１５６が移行する結果としてのみ起きることが可能である。具体的には、第２のステートマシーン１５６が第１の状態１６４から第３の状態１６８に移行する場合、第１のステートマシーン１４８への第３又は第４の入力は、冗長ルータマトリクスカード１０４ｂはＯＫではない及び／又は伝送拡張ポート１４６はロックされていないことを示す。
【００３７】
次に、図５を参照するに、ステートマシーンは４つの状態、即ち、第２のステートマシーン１５６が第２のマスタクロック１５４に、マルチシャーシブロードキャストルータ１００の全てのクロック要求コンポーネントに信号ＣＬＫ−Ｂを与えるよう命令を与える第１の状態１６４と、第２のステートマシーン１５６が第２のマスタクロック１５４に、マルチシャーシブロードキャストルータ１００の全てのクロック要求コンポーネントに信号ＣＬＫ−Ｂを与えないよう命令を与える第２の状態１６６と、第２のステートマシーン１５６が第２のマスタクロック１５４に、マルチシャーシブロードキャストルータ１００の全てのクロック要求コンポーネントに信号ＣＬＫ−Ｂを与えないよう命令を再び与える第３の状態１６８と、第２のステートマシーン１５６が第２のマスタクロック１５４に、マルチシャーシブロードキャストルータ１００の全てのクロック要求コンポーネントに信号ＣＬＫ−Ｂを与えないよう命令を再び与える第４の（「待機」（即ち、「Ｗ」））状態１６８とを有する。最初は、第２のステートマシーン１５６は、第２の状態１５８にある。この状態では、ルーティングエンジン１４０からの入力は、１次ルータマトリクスカード１０２ａが存在し且つ実行しており、伝送拡張ポート１４６からの入力は、その伝送拡張ポートがロックされていることを示す。同様に、ルーティングエンジン１５０からの入力は、冗長ルータマトリクスカード１０４ｂが存在し且つ実行しており、伝送拡張ポート１５２からの入力は、その伝送拡張ポートがロックされていることを示す。第２の状態１６６では、第２のステートマシーン１５６は第２のマスタクロック１５４に、マルチシャーシブロードキャストルータ１００の全てのクロック要求コンポーネントに共通クロック信号ＣＬＫ−Ｂを与えないよう第２のマスタクロック１５４に命令する信号を与える。
【００３８】
第２のステートマシーンは、第２の状態１６６から、第３の状態１６８又は第１の状態１６４に移行し得る。第３の状態１６８への移行は、第１のステートマシーン１４８の状態に関係なく起こり得る。より具体的には、ステートマシーン１５６は、ルーティングエンジン１５０からの入力が冗長ルータマトリクスカード１５０は機能しなくなったことを示すか、又は、伝送拡張ポート１５６からの入力がその伝送拡張ポート１５６はロックされていないことを示す場合に、第３の状態１６８に移行する。第３の状態１６８では、ステートマシーン１５６は、マルチシャーシブロードキャストルータ１００のクロック要求コンポーネントに共通のクロック信号ＣＬＫ−Ｂを第２のマスタクロック１５４が分配しないようマスタクロック１５４に命令する命令を再び与える。逆に言えば、第２のステートマシーン１６６は、第２の状態１６６から第１の状態１６４に、第１のステートマシーン１４８が第１の状態１５８か又は第２の状態１６０から第３の状態１６２に移行するときにしか移行することができない。第２のステートマシーン１５６は、ルーティングエンジン１４０からの入力が１次ルータマトリクスカード１０２ａは機能しなくなったことを示すか、又は、伝送拡張ポート１４６からの入力がクロック信号はもはや一定ではないことを示す場合に、このような移行が起きたことが通知される。これらの状態のうちのいずれかが起きると、第２のステートマシーン１５６は、第２の状態１６６から第１の状態１６４に移行する。この状態では、第２のステートマシーン１５６は、マルチシャーシブロードキャストルータ１００のクロック要求コンポーネントに共通のクロック信号ＣＬＫ−Ｂを分配するよう第２のマスタクロック１５４に信号を与える。
【００３９】
第２のステートマシーン１５６は、第１の状態１６４から第３の状態１６８にしか移行しない場合もある。この移行は、第１のステートマシーン１４８が第１の状態１５８又は第２の状態１６０から第３の状態１６２に移行した場合にのみ起きることが可能である。第２のステートマシーン１５６は、ルーティングエンジン１４０からの入力が１次ルータマトリクスカード１０２ａは機能しなくなったことを示すか、又は、伝送拡張ポート１４６からの入力がクロック信号は一定でなくなったことを示す場合に、そのような移行が起きたことが通知される。これらの状態のうちのいずれかが起きると、第２のステートマシーン１５６は、第１の状態１６４から第３の状態１６８に移行する。この状態では、第２のステートマシーン１５６は、マルチシャーシブロードキャストルータ１００のクロック要求コンポーネントに共通のクロック信号ＣＬＫ−Ｂを分配しないよう第２のマスタクロック１５４に信号を与える。
【００４０】
第２のステートマシーン１５６は、第３の状態１６８から第４の状態１６０にしか移行しない場合もある。この移行は、ルーティングエンジン１５０からの入力が冗長ルータマトリクスカード１０４ｂは存在し且つ実行している、及び／又は、伝送拡張ポート１５２からの入力がそのポートはロックされていることを示す場合にのみ起きることが可能である。第４の状態１７０では、第２のステートマシーン１５６は、第２のマスタクロック１５４に、ブロードキャストルータ１００のクロック要求コンポーネントに共通のクロック信号ＣＬＫ−Ｂを分配しないよう信号を与える。最後に、第２のステートマシーン１５６は、第４の状態１７０から、第１の状態１６４、第２の状態１６６、又は第３の状態１６８のうちの任意の状態に移行し得る。より具体的には、第２のステートマシーン１５６は、ルーティングエンジン１４０からの入力が１次ルータマトリクスカードは機能しなくなることを示す、及び／又は、伝送拡張ポート１４６からの入力がそのポートはロックされていないことを示す場合に、第１の状態１６４に移行する。逆に言えば、第２のステートマシーン１５６は、ルーティングエンジン１４０からの入力が１次ルータマトリクスカード１０２ａは存在して且つ実行していると示し、伝送拡張ポート１４６からの入力がそのポートがロックされていることを示す場合に、第２の状態１６６に移行する。最後に、第２のステートマシーン１５６は、ルーティングエンジン１５０からの入力が冗長ルータマトリクスカード１０４は機能しなくなったことを示す、及び／又は、伝送拡張ポート１５２からの入力がそのポートはロックされていないことを示す場合に、第３の状態１６８に移行する。
【００４１】
当然ながら、本発明の好適な実施例を本願にて示し且つ説明したが、本発明の精神又は教示内容から逸脱することなく当業者によって様々な修正及び変更を行うことが可能である。従って、保護範囲は、本願に記載した実施例に制限されるのではなく、特許請求の範囲によってのみ制限される。
【００４２】
［相互参照］
本願は、２００２年６月２１日に出願した米国仮特許出願番号６０／３９０，８４６に関連する。
【００４３】
本願は更に、同時係属中の米国特許出願番号ＰＣＴ／ （代理人整理番号ＩＵ０１０６２０）、ＰＣＴ／ （代理人整理番号ＩＵ０２０１５７）、ＰＣＴ／ （代理人整理番号ＩＵ０２０１５８）、ＰＣＴ／ （代理人整理番号ＩＵ０２０１５９）、ＰＣＴ／ （代理人整理番号ＩＵ０２０１６０）、ＰＣＴ／ （代理人整理番号ＩＵ０２０１６１）、ＰＣＴ／ （代理人整理番号ＩＵ０２０１６２）、ＰＣＴ／ （代理人整理番号ＩＵ０２０２５２）、ＰＣＴ／ （代理人整理番号ＩＵ０２０２５４）、ＰＣＴ／ （代理人整理番号ＩＵ０２０２５５）、ＰＣＴ／ （代理人整理番号ＩＵ０２０２５６）。これらはすべて、本願の譲受人に譲渡され、そのすべてが再現されたかのように参考として本願に組み込む。
【図面の簡単な説明】
【００４４】
【図１】完全に冗長的であり線形に拡張可能なブロードキャストルータを示すブロック図である。
【図２】図１の完全に冗長的であり線形に拡張可能なブロードキャストルータの第１のブロードキャストルータコンポーネントを示す拡大ブロック図である。
【図３】図１の完全に冗長的であり線形に拡張可能なブロードキャストルータの第２のブロードキャストルータコンポーネントを示す拡張ブロック図である。
【図４】図２の第１のブロードキャストルータコンポーネントのステートマシーンの状態図である。
【図５】図４の第２のブロードキャストルータコンポーネントのステートマシーンの状態図である。
【図１】
2005531211.tif 000004
【図２】
2005531211.tif 000005
【図３】
2005531211.tif 000006
【図４】
2005531211.tif 000007
【図５】
2005531211.tif 000008
【国際調査報告】
2005531211.tif 000009